(57)【要約】      （修正有）【課題】着脱が容易で素手感覚で触る事ができ、指と手のひらをカバーでき、何度でも使用でき、コンパクトに持ち歩けるサイズである指・手のひら保護衛生用手袋を提供する。【解決手段】指・手のひら保護衛生用手袋は、モノに触れる際に指先と面積の大きい手のひらをカバーし、ドアノブやつり革、エレベーターの階数ボタン、手すり、買い物かご等にも素手感覚で握ることができる。人差し指から小指の四指を入れる上部ポケットと親指を入れる下部ポケットを有し、上下部ポケットに指先を入れるだけで装着でき、左右兼用で使える。大半が手のひら側のカバーゆえ使用時に目立ちにくく、どのような服装の時でも使いやすい。ポケットに入れる指を様々に替えることによって、握る、押す、画面操作等を可能とするまさに素手感覚で使える柔軟な形状である。使わない時は二つ折りにすればポケットやカバンにもコンパクトに収納できる。【選択図】図１
0003233913.tif 000002
【実用新案登録請求の範囲】
【請求項１】
利き手を選ばない左右兼用のユニークな形状。使用する人のシチュエーションによって、時には右手、時には左手と使い分けることが可能で１枚のみで使用可能。下部の細い部分は、親指を入れるリング状の通し部と親指が入るポケットで、リング状の通し部と最下部のポケットの間の空いている隙間から親指の関節が出るようになっており、その関節自らが親指の抜け防止ストッパーとなる。特殊な器具や締め付け具等を一切使用せず形状のみでズレ防止機能を持たせている。本考案を着用中でも、つり革やドアノブ、手すり、スーツケース等の取っ手を握る、持つ、エレベーターに設置されているボタン類を押す等の動作時に自由に動かせる素手感覚で使用可能な指・手のひら保護衛生用手袋。
0003233913.tif 000003
【考案の詳細な説明】
【技術分野】
【０００１】
本考案は、素手で触りたくない不特定多数が触れたもの、細菌やウイルスが付着していると思われるものに触る際、指と手のひらを保護する事によって素手感覚で触ったり握ったりする事が可能な手袋に関するものである。
【背景技術】
【０００２】
世界的なパンデミックとなったコロナ禍の現在。今後はコロナやインフルエンザをはじめとした様々な細菌やウイルスと共存していかなければならなくなった。そんな日常生活の中で、ドアノブやつり革、手すりなどを素手で触るのに躊躇することが多くなった。
【０００３】
その様な場面では、ハンカチ等を使用して手をカバーしたり、棒状やかぎ状のものを使用してできるだけ素手で触れないようにしている。
【考案の概要】
【考案が解決しようとする課題】
【０００４】
日常生活を送っていると、通勤・通勤、買い物、外食等の外出時に「電車のつり革」「ドアノブ」「エレベーターの階数ボタン」「エスカレーターや階段の手すり」「スーパーの買い物かご」等々、到底避ける事は不可能であり、どうしても触れなければならないものがある。その様な際に、着脱が容易で素手感覚で触る事ができる指と手のひらをカバーできるような手袋があれば、安心して触ったり握ったりする事ができる。外出時に使用することが前提のため、コンパクトに持ち歩けるサイズであること。
【課題を解決するための手段】
【０００５】
本考案は、上下部ポケットに指先を入れるだけで装着でき、特にモノに触れやすい指先と表面積の大きい手のひら部分をカバーできる。さらに利き手を問わず右手でも左手でも装着できるユニークなデザイン形状。持ち運びの際には二つ折りにすることでコンパクトになり、マスクやハンカチと同じのようにポケットやカバンに収納できる。布やポリエステル等の生地で作られているため、何度でも洗えば使用可能。色々な生地を使っておしゃれにできる。また、防菌生地等を用いて縫製すればさらに衛生面において安心して使用できる。
【０００６】
ハンカチの用途は本来、手を拭いたり額の汗をぬぐったりするものであるから、一旦取っ手やつり革を握るとその後は衛生面でも精神的においても本来の用途では使いづらい。棒状やかぎ状のものを使用する場合は、その材質にもよるが折れてしまったり、金属製の手すりやドアノブと触れたりこすれたりした際の感触や音に不快感を覚えたり、対象物を傷つけたりする可能性がある。
【考案の効果】
【０００７】
本考案の指・手のひらカバー手袋は、着脱が容易でスーツやおしゃれ着の着用時でも目立ちにくいため、どんな服装の際でも装着しやすい。
【０００８】
利き手を選ばないシンメトリー形状をしているため、右手、左手、その時々で装着する手を替えることができる。
【０００９】
親指の関節がリングとポケットの間から出る事で親指自身が一時的なストッパーとなり、親指がずれて手袋が外れにくいよう工夫している。
【００１０】
人差し指と小指のみ上部ポケットに入れて、中指と薬指はポケットの上に出すスタイルでも握りやすい。人差し指のみを出し手袋を握りこむようにすればスマートフォンの操作も可能となる。
【００１１】
不使用時には二つ折りにすればポケットやカバンに収納した際にかさばりにくいため、常備しやすく気軽に使用しやすい。
【考案を実施するための形態】
【００１２】
着用したい方の手の指を上下ポケットに入れるだけで装着できる。
【図面の簡単な説明】
【００１３】
【図１】グローブ本体の表面および裏面図
【図２】上部ポケット（人差し指、中指、薬指、小指用）。
【図３】上部ポケットに指を入れる際には４本ともポケットに収納する。図のように中指と薬指のみをポケット上に出してもよい。
【図４】親指ズレ防止リングに親指を通す。
【図５】下部ポケットに親指を収納して装着完了。
【図６】手すりやドアノブなどを自由に握ることが可能。
【図７】エレベーター等のボタン類も親指で押すことが可能。
【図８】人差し指のみを出し、手袋を握るようにまとめた状態にするとスマートフォンの操作が可能。
【図１】
0003233913.tif 000004
【図２】
0003233913.tif 000005
【図３】
0003233913.tif 000006
【図４】
0003233913.tif 000007
【図５】
0003233913.tif 000008
【図６】
0003233913.tif 000009
【図７】
0003233913.tif 000010
【図８】
0003233913.tif 000011
【手続補正書】
【提出日】令和3年4月8日(2021.4.8)
【手続補正１】
【補正対象書類名】実用新案登録請求の範囲
【補正対象項目名】請求項１
【補正方法】変更
【補正の内容】
【請求項１】
「本考案において、（１）利き手を選ばない左右兼用のユニークな形状、（２）使用する人のシチュエーションによって右手用と左手用を本考案１枚で使い分けることが可能、（３）本考案を着用中につり革やドアノブや手すりならびにスーツケース等の取っ手を握ったり持つことが可能、（４）エレベーターに設置されているボタン類は親指で押すことが可能、（５）日常で様々な手による接触動作が必要になった際に本考案１枚でまかなうことが可能、以上の（１）〜（５）の構成からなることを特徴とする指・手のひら保護衛生用手袋。」
【手続補正書】
【提出日】令和3年7月5日(2021.7.5)
【手続補正１】
【補正対象書類名】実用新案登録請求の範囲
【補正対象項目名】請求項１
【補正方法】変更
【補正の内容】
【請求項１】
「本考案において、一般的に手袋形状としては人差し指から小指の四指を入れる部分（Ａとする）と親指を入れる部分（Ｂとする）をＬ型状に配置したものが多く、右手用と左手用をそれぞれ用意する必要があるが、本考案はＡとＢを一直線上に配置し、さらに指を入れるポケット入り口部分をＡとＢで向かい合わせに配置することで装着後は本考案の細い部分にひねりを生じさせるという構成によって、本考案１枚で左右どちらでも全く同じ様に装着可能で、モノを掴んだりボタンを押すという動作の際に利き手を選ばない左手右手とも賄うことができることを特徴とする指・手のひら保護衛生用手袋。」
【手続補正書】
【提出日】令和3年7月5日(2021.7.5)
【手続補正１】
【補正対象書類名】実用新案登録請求の範囲
【補正対象項目名】全文
【補正方法】変更
【補正の内容】
【実用新案登録請求の範囲】
【請求項１】
本考案において、一般的に手袋形状としては人差し指から小指の四指を入れる部分（Ａとする）と親指を入れる部分（Ｂとする）をＬ型状に配置したものが多く、右手用と左手用をそれぞれ用意する必要があるが、本考案はＡとＢを一直線上に配置し、さらに指を入れるポケット入り口部分をＡとＢで向かい合わせに配置することで装着後は本考案の細い部分にひねりを生じさせるという構成によって、本考案１枚で左右どちらでも全く同じ様に装着可能で、モノを掴んだりボタンを押すという動作の際に利き手を選ばない左手右手とも賄うことができることを特徴とする指・手のひら保護衛生用手袋。